(57)【要約】【課題】切刃の周方向の間隔が異なる部分を有するエンドミルにおいて、特に大きな切削負荷の作用する切刃の損傷を確実に防止する。【解決手段】軸線Ｏ回りに回転されるエンドミル本体１の先端部外周に形成された複数の切屑排出溝４のエンドミル回転方向Ｔを向く壁面の外周側辺稜部に切刃５を形成するとともに、この切刃５のエンドミル回転方向Ｔ後方側には外周逃げ面７を、切刃５のエンドミル回転方向Ｔ後方側に隣接する切刃５の切屑排出溝４に交差するように形成し、切刃５のうち少なくとも一の切刃５Ａは、軸線Ｏ方向に沿った少なくとも一部において、エンドミル回転方向Ｔ側に隣接する切刃５Ｂとの周方向の間隔ａ＋Ｂを他の切刃５Ｂよりも大きくするとともに、この少なくとも一の切刃５Ａに連なる外周逃げ面７Ａの周方向の幅Ａも他の切刃５Ｂより大きくする。【選択図】図３
2010120099.tif 000002
【特許請求の範囲】
【請求項１】
軸線回りに回転されるエンドミル本体の先端部外周に複数の切屑排出溝が形成され、これらの切屑排出溝のエンドミル回転方向を向く壁面の外周側辺稜部に切刃が形成されるとともに、この切刃のエンドミル回転方向後方側には、該切刃に連なる外周逃げ面が、この切刃のエンドミル回転方向後方側に隣接する切刃の切屑排出溝に交差するように形成されており、上記切刃のうち少なくとも一の切刃は、上記軸線方向に沿った少なくとも一部において、上記エンドミル回転方向側に隣接する切刃との周方向の間隔が他の切刃よりも大きくされるとともに、該少なくとも一の切刃に連なる上記外周逃げ面の周方向の幅も上記他の切刃より大きくされていることを特徴とするエンドミル。
【請求項２】
上記少なくとも一の切刃は、該少なくとも一の切刃に連なる上記切屑排出溝の周方向の幅も上記他の切刃より大きくされていることを特徴とする請求項１に記載のエンドミル。
【請求項３】
上記複数の切屑排出溝同士で、各切屑排出溝の周方向の幅と、それぞれの切屑排出溝のエンドミル回転方向後方側に上記切刃を介して連なる上記外周逃げ面の周方向の幅との比が、互いに略等しくされていることを特徴とする請求項２に記載のエンドミル。
【請求項４】
請求項１から請求項３のいずれか一項に記載のエンドミルの製造方法であって、上記少なくとも一の切刃に連なる上記切屑排出溝を、上記他の切刃に連なる切屑排出溝を形成する回転砥石を用いて、該回転砥石の回転中心軸の上記軸線に対する振り角と該回転中心軸と上記軸線からの距離との少なくとも一方を、上記他の切刃に連なる切屑排出溝を形成するときとは異なる大きさとして、上記回転砥石を回転させつつ上記軸線方向に上記エンドミル本体に対して相対移動させることにより形成することを特徴とするエンドミルの製造方法。
【発明の詳細な説明】
【技術分野】
【０００１】
本発明は、軸線回りに回転されるエンドミル本体の先端部外周に複数の切屑排出溝が形成されて、そのエンドミル回転方向を向く壁面の外周側辺稜部に切刃が形成されたエンドミルおよびその製造方法に関するものである。
【背景技術】
【０００２】
このようなエンドミルにおいては、複数の上記切刃のうち少なくとも一の切刃の上記軸線に対する捩れ角を他の切刃と異なる捩れ角とすることにより、軸線方向の少なくとも一部において切刃の周方向の間隔を異なるようにした、不等捩れあるいは不等リードエンドミルや、捩れ角は等しいまま切刃の周方向の間隔を異なるようにした、不等分割エンドミルが知られており、切刃が被削材に食い付く周期が一定ではなくなるため、周期的な食い付きによる共振によってビビリ振動が発生するのを防ぐことができる。ところが、このように切刃の周方向の間隔が異なるエンドミルでは、この間隔の大きい部分において切屑の生成量が多くまた切屑厚さも厚くなるため、そのエンドミル回転方向後方側の切刃への切削負荷が大きくなって損傷を招いたり、この部分の切屑排出溝に切屑詰まりが発生するおそれがある。
【０００３】
そこで、例えば特許文献１には、このように切刃の周方向の間隔が異なるエンドミルにおいて、エンドミル回転方向側に隣接する切刃との間隔が他の切刃と異なる大きさとされた切刃について、そのエンドミル回転方向後方側に連なる外周逃げ面の断面形状を他の切刃と異なるものとしたエンドミルが提案されている。従って、このようなエンドミルでは、上述のように切削負荷が大きくなる切刃に対しては、例えばエンドミル回転方向後方側の肉厚が大きくなるように凸曲折した断面形状に外周逃げ面を形成することにより、剛性や強度を確保して損傷等を防止するとともに、該切刃のエンドミル回転方向側に隣接する切刃の外周逃げ面には凹部を形成して切屑排出溝の断面積を大きくし、切屑詰まりを防止することができる。
【特許文献１】特開２００７−１３６６２６号公報
【発明の開示】
【発明が解決しようとする課題】
【０００４】
ところが、このように切刃に連なる外周逃げ面の断面を異なる形状としても、実際に切削負荷が作用する切刃からエンドミル回転方向後方側に向けてのエンドミル本体の肉厚が確保されていなければ、切刃に十分な剛性や強度を与えることができず、その損傷を確実に防ぐのは困難となる。また、このように異なる断面形状の外周逃げ面を形成するには、この外周逃げ面や切屑排出溝を回転砥石によって形成する際に、異なる研削面形状を有する複数の回転砥石を用いたり、あるいは同一の砥石であってもその研削位置をずらしてエンドミル本体の軸線方向に複数回相対移動させたりしなければならず、当該エンドミルを製造するのに多くの時間やコストを要するおそれもあった。
【０００５】
本発明は、このような背景の下になされたもので、上述のように切刃の周方向の間隔が異なる部分を有するエンドミルにおいて、特に大きな切削負荷の作用する切刃の損傷を確実に防止することが可能なエンドミルを提供し、またそのようなエンドミルを低コストで簡略に製造することが可能なエンドミルの製造方法を提供することを目的としている。
【課題を解決するための手段】
【０００６】
上記課題を解決して、このような目的を達成するために、本発明のエンドミルは、軸線回りに回転されるエンドミル本体の先端部外周に複数の切屑排出溝が形成され、これらの切屑排出溝のエンドミル回転方向を向く壁面の外周側辺稜部に切刃が形成されるとともに、この切刃のエンドミル回転方向後方側には、該切刃に連なる外周逃げ面が、この切刃のエンドミル回転方向後方側に隣接する切刃の切屑排出溝に交差するように形成されており、上記切刃のうち少なくとも一の切刃は、上記軸線方向に沿った少なくとも一部において、上記エンドミル回転方向側に隣接する切刃との周方向の間隔が他の切刃よりも大きくされるとともに、該少なくとも一の切刃に連なる上記外周逃げ面の周方向の幅も上記他の切刃より大きくされていることを特徴とする。
【０００７】
このような構成のエンドミルにおいては、上述のように周方向の間隔が異なる部分を有する切刃のうち、エンドミル回転方向側に隣接する切刃との周方向の間隔が他の切刃よりも大きくされた切刃は、そのエンドミル回転方向後方側に連なる外周逃げ面の周方向の幅も大きくなるように形成されているので、こうしてエンドミル回転方向側の間隔が大きくなるために切屑生成量が多く、また厚めの切屑が生成されることにより大きな切削負荷が作用する当該切刃のエンドミル回転方向後方側に確実に大きな肉厚を確保することができる。このため、かかる切刃の剛性や強度も確実に確保することができて、切削時に欠損やチッピング等の損傷が生じるのを防止することが可能となる。
【０００８】
ここで、このようにエンドミル回転方向側に隣接する切刃との周方向の間隔が他の切刃よりも大きくされた上記少なくとも一の切刃は、該少なくとも一の切刃に連なる上記切屑排出溝の周方向の幅も上記他の切刃より大きくされているのが望ましく、これにより、当該切刃の切屑排出溝の容積をも大きく確保して、上述のような生成量の多い切屑も詰まりを生じることなく円滑に排出することが可能となる。
【０００９】
また、このように周方向の間隔が他の切刃よりも大きくされた上記少なくとも一の切刃について、その切屑排出溝の幅も他の切刃より大きくした場合には、上記複数の切屑排出溝同士で、各切屑排出溝の周方向の幅と、それぞれの切屑排出溝のエンドミル回転方向後方側に上記切刃を介して連なる上記外周逃げ面の周方向の幅との比が、互いに略等しくされているのが望ましく、これにより上記間隔が大きい切刃の外周逃げ面および切屑排出溝の周方向の長さと、このエンドミル回転方向側の切刃との間隔が小さくて、すなわち切削負荷が小さく切屑生成量の少ない他の切刃の外周逃げ面および切屑排出溝の周方向の長さとのバランスをとって、上記少なくとも一の切刃に効率的に高い剛性や強度を付与することができる。
【００１０】
さらに、このようなエンドミルを製造する際の本発明のエンドミルの製造方法は、上記少なくとも一の切刃に連なる上記切屑排出溝を、上記他の切刃に連なる切屑排出溝を形成する回転砥石を用いて、該回転砥石の回転中心軸の上記軸線に対する振り角と該回転中心軸と上記軸線からの距離との少なくとも一方を、上記他の切刃に連なる切屑排出溝を形成するときとは異なる大きさとして、上記回転砥石を回転させつつ上記軸線方向に上記エンドミル本体に対して相対移動させることにより形成することを特徴とする。
【００１１】
すなわち、このようなエンドミルは、通常は外周面に砥粒層が形成された回転砥石を、この外周面が切屑排出溝に沿うようにその回転中心軸にエンドミル本体の軸線に対して振り角を与え、かつ該回転中心軸と軸線との間に所定の距離をあけて配置し、この回転砥石を回転させつつエンドミル本体に対して上記軸線方向に相対移動させることにより、上記砥粒層によって切屑排出溝を形成して、そのエンドミル回転方向を向く壁面の外周側辺稜部に切刃を研ぎ付けることで製造される。従って、各切屑排出溝を形成するのに同じ回転砥石を用いて１回軸線方向に相対移動させるだけでも、この回転砥石の振り角や上記距離を調整することにより、上記他の切刃の切屑排出溝の幅を小さくして上記少なくとも一の切刃に連なる外周逃げ面の周方向の幅を大きくし、またこの少なくとも一の切刃の切屑排出溝の幅は大きくすることができる。
【発明の効果】
【００１２】
以上説明したように、本発明のエンドミルによれば、エンドミル回転方向側の切刃との間隔が大きくて大きな切削負荷が作用する上記少なくとも一の切刃に対し、確実に高い剛性や強度を確保することができ、これにより当該切刃に損傷が生じるのを防いで工具寿命を延長し、円滑かつ安定した切削を行うことが可能となる。また、本発明のエンドミルの製造方法によれば、このようなエンドミルの切刃を、１種の回転砥石を用いて各切屑排出溝ごとに１回の相対移動で形成することができ、時間やコストを削減して効率的なエンドミルの製造を行うことができる。
【発明を実施するための最良の形態】
【００１３】
図１ないし図３は、本発明の一実施形態を示すものである。本実施形態においてエンドミル本体１は、超硬合金等の硬質材料によって形成されて軸線Ｏを中心とした概略円柱状をなし、その後端側部分（図１において右側部分）は円柱状のままのシャンク部２とされるとともに先端側部分（図１において左側部分）は切刃部３とされ、シャンク部２が工作機械の主軸に保持されて軸線Ｏ回りにエンドミル回転方向Ｔに回転されつつ該軸線Ｏに交差する方向に送り出されることにより、上記切刃部３によって被削材に切削加工を施してゆく。
【００１４】
切刃部３の外周には、その先端から後端側に向けて軸線Ｏ回りにエンドミル回転方向Ｔ後方側に捩れる複数（本実施形態では４条）の切屑排出溝４が形成されており、これらの切屑排出溝４のエンドミル回転方向Ｔ側を向くの外周側辺稜部には、それぞれ切刃（外周刃）５が形成されている。従って、上記壁面はこの切刃５のすくい面６とされるとともに、切刃５からエンドミル回転方向Ｔ後方側に延びるエンドミル本体１の外周面は切刃５の外周逃げ面７とされ、これらすくい面６と外周逃げ面７との交差稜線部が切刃５とされて、本実施形態では４条の切刃５が、そのすくい面６とされる上記壁面が形成された切屑排出溝４の捩れに合わせて螺旋状に捩れるように形成されている。
【００１５】
なお、外周逃げ面７には、本実施形態では図３に示すように当該外周逃げ面７が切刃５からエンドミル回転方向Ｔの後方側に向かうに従いエンドミル本体１の径方向内周側に向かうようにして所定の逃げ角が与えられるが、切刃５に近接した幅の小さい部分ではこのような逃げ角が与えられずに切刃５と同径の円筒面状とされたマージン部が形成されていてもよい。また、外周逃げ面７は、そのエンドミル回転方向Ｔ後方側に隣接する切屑排出溝４の底面と交差稜線Ｌにおいて角度をもって交差するようにされている。
【００１６】
一方、エンドミル本体１の先端部には、上記切屑排出溝４から内周側に延びるギャッシュ８が形成されており、このギャッシュ８の先端側辺稜部には、上記切刃５の先端からエンドミル本体１内周の軸線Ｏ近傍にまで延びる底刃９が形成されている。ここで、本実施形態のエンドミルは、この底刃９と外周刃とされる上記切刃５とが軸線Ｏ回りの回転軌跡で略直交するスクエアエンドミルとされている。なお、外周刃とされる切刃５は、それぞれの軸線Ｏ回りの回転軌跡が一致して該軸線Ｏを中心とした円筒面をなすようにされている。
【００１７】
さらに、上記複数の切刃５は、そのうち少なくとも一の切刃５が、上記軸線Ｏ方向に沿った少なくともその一部において、上記エンドミル回転方向Ｔ側に隣接する切刃５との周方向の間隔が、他の切刃５よりも大きくされている。そして、この軸線Ｏ方向の少なくとも一部において、周方向の間隔が他の切刃５よりも大きくされたこの少なくとも一の切刃５では、該少なくとも一の切刃５に連なる外周逃げ面７の周方向の幅Ａも、他の切刃５に連なる外周逃げ面７の周方向の幅Ｂより大きくされていて、Ａ＞Ｂとされている。
【００１８】
ここで、本実施形態では、切刃５同士の軸線Ｏに対する捩れ角は互いに等しくされて、その周方向の間隔が異なるようにされた不等分割エンドミルの構成とされている。従って、本実施形態では少なくとも一の切刃５は、切刃部３において軸線Ｏ方向全長に渡り、エンドミル回転方向Ｔ側に隣接する切刃５との周方向の間隔が他の切刃５の同間隔よりも大きくされ、すなわち切刃部３は図３に示した軸線Ｏに直交する断面形状のまま、上記捩れ角に合わせて捩れつつ軸線Ｏ方向に延びることになる。また、これに伴い、この少なくとも一の切刃５に連なる上記底刃９も、図２に示すようにそのエンドミル回転方向Ｔ側に隣接する底刃９との周方向の間隔が他の底刃９の同間隔よりも大きくされている。
【００１９】
より詳しくは、本実施形態における上記４条の切刃５は、エンドミル回転方向Ｔ側に隣接するものとの周方向の間隔が大きくされた第１の切刃５Ａと、これに対して上記周方向の間隔が小さくされた第２の切刃５Ｂとが、一対ずつ交互に、それぞれ軸線Ｏに関して１８０°回転対称となるように形成されており、従って本実施形態では上記第１の切刃５Ａが上記少なくとも一の切刃５とされ、また第２の切刃５Ｂは他の切刃５とされる。そして、このうち第１の切刃５Ａのエンドミル回転方向Ｔ後方側に連なる外周逃げ面７Ａの周方向の幅Ａは、第２の切刃５Ｂのエンドミル回転方向Ｔ後方側に連なる外周逃げ面７Ｂの周方向の幅Ｂよりも大きくされている。
【００２０】
さらに、本実施形態では、各切刃５のすくい面６となる壁面が形成された切屑排出溝４の、該切刃５から上記交差稜線Ｌまでの周方向の幅も、上記少なくとも一の切刃である第１の切刃５Ａに連なる切屑排出溝４Ａの幅ａが、他の切刃である第２の切刃５Ｂに連なる切屑排出溝４Ｂの幅ｂよりも大きくなるように、すなわちａ＞ｂとされている。従って、上記第１の切刃５Ａは、そのエンドミル回転方向Ｔ側に隣接する第２の切刃５Ｂとの間に周方向の間隔ａ＋Ｂをもって配設されるとともに、第２の切刃５Ｂは、そのエンドミル回転方向Ｔ側に隣接する第１の切刃５Ａとの間に周方向の間隔ｂ＋Ａをもって配設され、すなわちａ＋Ｂ＞ｂ＋Ａとされる。
【００２１】
さらにまた、こうしてＡ＞Ｂ、ａ＞ｂ、ａ＋Ｂ＞ｂ＋Ａとされた第１、第２の切刃５Ａ、５Ｂの外周逃げ面７Ａ、７Ｂの周方向の幅Ａ、Ｂと切屑排出溝４Ａ、４Ｂの周方向の幅ａ、ｂは、各切刃５Ａ、５Ｂ同士で、そのエンドミル回転方向Ｔ側に連なる切屑排出溝４の周方向の幅ａ、ｂとエンドミル回転方向Ｔ後方側に連なる外周逃げ面７の周方向の幅Ａ、Ｂとの比ａ／Ａ、ｂ／Ｂが、互いに略等しくなるようにされている。なお、これらの比ａ／Ａ、ｂ／Ｂは、そのうち最大のものが最小のものの１２０％以内の範囲となる程度に等しくされていればよい。
【００２２】
このようなエンドミルは、外形が粗加工されたエンドミル本体１の切屑排出溝４部分に、例えば図１に破線で示すような回転砥石Ｇの外周面に形成された砥粒層を沿わせるように挿入し、この回転砥石Ｇをその回転中心軸Ｃ回りに回転させながら、切屑排出溝４の捩れに合わせてエンドミル本体１を軸線Ｏ回りに回転させつつ該軸線Ｏ方向に送り出して相対移動させ、この切屑排出溝４の上記すくい面６とされる壁面を研削して、その外周側辺稜部の、同じく研削により形成された外周逃げ面７との交差稜線部に切刃５を形成することにより、製造される。
【００２３】
ここで、上記実施形態のエンドミルを製造する本発明のエンドミルの製造方法の一実施形態では、このように回転砥石Ｇによって切屑排出溝４を研削して切刃５を形成するのに際し、図１に示すようにエンドミル本体１の軸線Ｏに垂直な方向から見た回転砥石Ｇの回転中心軸Ｃの振り角θと、これら軸線Ｏと回転中心軸Ｃとの距離とのうち少なくとも一方を、上記第１の切刃（少なくとも一の切刃）５Ａに連なる切屑排出溝４Ａを形成するときと、上記第２の切刃（他の切刃）５Ｂに連なる切屑排出溝４Ｂを形成するときとで、異なる大きさとなるようにしている。
【００２４】
すなわち、上記第２の切刃５Ｂに連なる切屑排出溝４Ｂを形成するときに対して、第１の切刃５Ａに連なる切屑排出溝４Ａを形成するときには、軸線Ｏと回転中心軸Ｃとの距離は同じまま上記振り角θを小さくしたり、逆に振り角θを同じとしたまま軸線Ｏと回転中心軸Ｃとの距離を小さくしたり、あるいはこれら軸線Ｏと回転中心軸Ｃとの距離と振り角θとをともに小さくしたりすることにより、同じ研削砥石Ｇを用いてエンドミル本体１の軸線Ｏ方向に１回相対移動させるだけでも、切屑排出溝４Ｂの周方向の幅ｂよりも大きな幅ａの切屑排出溝４Ａが形成され、これに伴い第１の切刃５Ａに連なる外周逃げ面７Ａの周方向の幅Ａも、第２の切刃５Ｂに連なる外周逃げ面７Ｂの幅Ｂよりも大きくすることができるのである。
【００２５】
例えばこのようにして製造される上記構成のエンドミルでは、エンドミル回転方向Ｔ側に隣接する切刃５との周方向の間隔ａ＋Ｂが第２の切刃（他の切刃）５Ｂの間隔Ａ＋ｂよりも大きくされた第１の切刃（少なくとも一の切刃）５Ａが、そのエンドミル回転方向Ｔの後方側に連なる外周逃げ面７Ａの周方向の幅Ａも第２の切刃５Ｂの外周逃げ面７Ｂの周方向の幅Ｂより大きくされているので、この第１の切刃５Ａに高い剛性と強度を確実に確保することができる。従って、この第１の切刃５Ａによって厚みの大きい切屑が多量に生成されることにより、当該第１の切刃５Ａには第２の切刃５Ｂよりも大きな切削負荷が作用しても、この第１の切刃５Ａに欠損やチッピングが生じたりするのを防止して、長期に亙って円滑かつ安定した切削を促すことが可能となる。
【００２６】
また、本実施形態では、この第１の切刃５Ａにおいて、その外周逃げ面７Ａの幅Ａがこうして大きくされるのとともに、エンドミル回転方向Ｔ側に連なる切屑排出溝４Ａの周方向の幅ａも、第２の切刃５Ｂの切屑排出溝４Ｂと比べて大きくされており、従ってその断面積も第２の切刃５Ｂの切屑排出溝４Ｂより大きく確保することができる。このため、上述のように第１の切刃５Ａによって厚い切屑が多く生成されても、これを確実に切屑排出溝４Ａに収容して排出することができ、かかる切屑が詰まり気味になることによって切削抵抗が増したりするのも防いで、一層円滑な切削を図ることが可能となる。
【００２７】
しかも、こうしてエンドミル回転方向Ｔ側の切刃５（第２の切刃５Ｂ）との間隔が大きくされた第１の切刃５Ａについて、その切屑排出溝４Ａと外周逃げ面７Ａの周方向の幅ａ、Ａを第２の切刃５Ｂより大きくした場合でも、本実施形態においてはこの幅ａ、Ａの比ａ／Ａが、第２の切刃５Ｂの切屑排出溝４Ｂと外周逃げ面７Ｂの周方向の幅ｂ、Ｂの比ｂ／Ｂと上述のように略等しくされており、これにより第１、第２の切刃５Ａ、５Ｂでその切屑排出溝４Ａ、４Ｂと外周逃げ面７Ａ、７Ｂの幅ａ、ｂ、Ａ、Ｂのバランスをとって、より一層確実に切刃５の損傷を防ぎつつさらに円滑な切削を促すことが可能となる。
【００２８】
すなわち、これら第１、第２の切刃５Ａ、５Ｂの切屑排出溝４Ａ、４Ｂの幅ａ、ｂと外周逃げ面７Ａ、７Ｂの幅Ａ、Ｂの比ａ／Ａ、ｂ／Ｂが上述の範囲を超えるほど大きく異なっていると、エンドミル回転方向Ｔ側に隣接する切刃５との周方向の間隔ａ＋Ｂ、ｂ＋Ａに対して、第１、第２の切刃５Ａ、５Ｂのいずれか一方あるいは双方の切屑排出溝４Ａ、４Ｂや外周逃げ面７Ａ、７Ｂの幅ａ、ｂ、Ａ、Ｂを十分に確保することができなくなり、特に幅ｂ、Ｂが小さくなる第２の切刃５Ｂにおいて欠損やチッピング、あるいは切屑詰まりが生じ易くなるおそれがある。
【００２９】
一方、このようなエンドミルを、上述のように回転砥石によって切屑排出溝４を研削することにより切刃５を形成して製造するには、例えば第１、第２の切刃５Ａ、５Ｂの切屑排出溝４Ａ、４Ｂを研削する回転砥石として外周面の砥粒層の幅が異なる２種類の回転砥石を用いたり、あるいは同じ回転砥石を用いる場合でも、幅ａの大きい第１の切刃５Ａの切屑排出溝４Ａは、周方向の位置を変えて回転砥石をエンドミル本体１の軸線Ｏ方向に複数回相対移動させることにより形成したりすることも可能である。ただし、前者の場合は複数種の回転砥石が必要となり、また後者の場合は研削に多くの時間を要することになり、いずれも効率的ではない。
【００３０】
そこで、かかるエンドミルを製造するための本発明の製造方法の一実施形態では、切屑排出溝４Ａ、４Ｂを研削するのに同一の回転砥石Ｇを用いて、上述のようにエンドミル本体１の軸線Ｏに対するこの回転砥石Ｇの回転中心軸Ｃの振り角θと、該軸線Ｏと回転中心軸Ｃとの距離との少なくとも一方を異なる大きさとすることにより、回転砥石Ｇのエンドミル本体１に対する１回の軸線Ｏ方向への相対移動によって幅ａ、ｂの異なる切屑排出溝４Ａ、４Ｂを形成し、これに伴い外周逃げ面７Ａ、７Ｂの幅Ａ、Ｂも異なる大きさとなるようにしている。このため、本実施形態の製造方法によれば、複数種の回転砥石を要したりすることなく、通常のエンドミルを製造するのと略同じ時間で、上述のような円滑な切削を行うことが可能なエンドミルを効率的に製造することができる。
【００３１】
なお、本実施形態では、本発明を４枚刃のエンドミルに適用した場合について説明したが、例えば図４に切刃部３の軸線Ｏに直交する断面を示すような変形例の８枚刃の多刃のエンドミルに本発明を適用することも可能であるし、この８枚刃よりもさらに多くの切刃５を有する、例えば２０枚刃もの切刃を有するエンドミルに本発明を適用することも可能である。ここで、図４に示す変形例のエンドミルにおいて、上記実施形態と共通する部分には同一の符号を配してある。すなわち、この図４に示す変形例では、エンドミル回転方向Ｔ側に隣接する切刃５との周方向の間隔が大きい第１の切刃５Ａとこの間隔が小さい第２の切刃５Ｂとが４枚ずつ周方向に交互に形成され、上記実施形態と同様に第１の切刃５Ａでは外周逃げ面７Ａの幅Ａと切屑排出溝４Ａの幅ａとが、第２の切刃５Ｂの外周逃げ面７Ｂの幅Ｂと切屑排出溝４Ｂの幅ｂよりも大きくされている。
【００３２】
また、上記実施形態では、本発明を切刃５の捩れ角は等しくて周方向の間隔が異なるようにされた不等分割エンドミルに適用した場合について説明したが、切刃５の捩れ角が異なる大きさとされることにより、周方向の間隔も異なるものになる不等捩れエンドミル（不等リードエンドミル）に本発明を適用することも可能であり、この場合には軸線Ｏ方向の一部で切刃５の周方向の間隔がすべて等しくなっていて、この部分では外周逃げ面７の週方向の幅や切屑排出溝４の幅が等しくされていてもよい。さらに、上述のようなスクエアエンドミル以外の、例えば底刃の回転軌跡が半球状とされたボールエンドミルや、底刃と外周刃（切刃５）とが略１／４円弧状のコーナ刃を介して接続されるラジアスエンドミルに本発明を適用することも可能である。
【図面の簡単な説明】
【００３３】
【図１】本発明を不等分割エンドミルに適用した場合の一実施形態を示す側面図である。
【図２】図１に示す実施形態を軸線Ｏ方向先端側から見た正面図である。
【図３】図１におけるＺＺ断面図である。
【図４】図１に示す実施形態の変形例を示す切刃部３の軸線Ｏに直交する断面図である。
【符号の説明】
【００３４】
１  エンドミル本体
３  切刃部
４（４Ａ、４Ｂ）  切屑排出溝
５（５Ａ、５Ｂ）  切刃（第１の切刃、第２の切刃）
６  すくい面
７（７Ａ、７Ｂ）  外周逃げ面
Ａ、Ｂ  外周逃げ面７Ａ、７Ｂの周方向の幅
ａ、ｂ  切屑排出溝４Ａ、４Ｂの周方向の幅
Ｏ  エンドミル本体１の軸線
Ｔ  エンドミル回転方向
Ｌ  切屑排出溝４と外周逃げ面７との交差稜線
Ｇ  回転砥石
Ｃ  回転砥石Ｇの回転中心軸
θ  エンドミル本体１の軸線Ｏに対する回転砥石Ｇの回転中心軸Ｃの振り角
【図１】
2010120099.tif 000003
【図２】
2010120099.tif 000004
【図３】
2010120099.tif 000005
【図４】
2010120099.tif 000006